(57)【要約】【課題】  操作ボタンの調整を行うことで、操作性の向上を図る。【解決手段】  表示画面と、ペンの接触する位置を検出する手段を有し、画面上のペンの接触状態により操作を行う手段を有し、前記表示画面の一部にファインダ表示を行い、前記ファインダ表示した余白に操作用のソフトウェアボタンが配置されたデジタルカメラおよびデジタルカメラのアプリケーションにおいて、操作ボタンの一部または全てのボタンの大きさや位置を変更可能であることを特徴とするデジタルカメラを提供する。【選択図】  図１
2006140700.tif 000002
【特許請求の範囲】
【請求項１】
表示画面と、ペンの接触する位置を検出する手段を有し、画面上のペンの接触状態により操作を行う手段を有し、
前記表示画面の一部にファインダ表示を行い、
前記ファインダ表示した余白に操作用のソフトウェアボタンが配置されたデジタルカメラおよびデジタルカメラのアプリケーションにおいて、操作ボタンの一部または全てのボタンの大きさや位置を変更可能であることを特徴とする、
デジタルカメラ。
【請求項２】
請求項１に記載のデジタルカメラにおいて、操作ボタンのひとつがキャプチャボタンであることを特徴とする、
デジタルカメラ。
【請求項３】
請求項１に記載のデジタルカメラにおいて、操作ボタンのひとつがズームボタンであることを特徴とする、
デジタルカメラ。
【請求項４】
請求項１に記載のデジタルカメラにおいて、
上記画面上に表示された任意のボタン上でペンダウンし、ドラッグし、ペンアップされた位置に上記ペンダウンされたボタンが移動する手段を有することを特徴とする、
デジタルカメラ。
【請求項５】
請求項４に記載のデジタルカメラにおいて、ボタンからドラッグする量にスレッショルドを設けておき、ドラッグする量がある一定量を超えたときに、上記ペンダウンされたボタンを移動する手段を有することを特徴とする、
デジタルカメラ。
【請求項６】
請求項４に記載のデジタルカメラにおいて、表示されたボタンの角または辺上でペンダウンし、ドラッグすることにより、上記ペンダウンしたボタンのドラッグしたペンの位置に追従してボタンの大きさが変化する手段を有することを特徴とする、
デジタルカメラ。
【請求項７】
請求項６に記載のデジタルカメラにおいて、操作ボタンが移動または大きさが変更されたことにより、変更されるボタンと既存のボタンとの重なりが生ずることを検出する手段を有し、既存のボタンとの重なりが生ずることを検出された場合に、移動または大きさが変更されたボタン以外を配置しなおす、またはボタンの大きさを変更する手段を有することを特徴とする、
デジタルカメラ。
【請求項８】
請求項７に記載のデジタルカメラにおいて、位置や大きさを変更しようとするボタン以外のボタンの位置の変更が不可能であることを検出する手段を有し、
上記変更しようとするボタン以外のボタンの変更が不可能である場合に、変更しようとするボタンの位置や大きさの変更を不可能とする手段を有することを特徴とする、
デジタルカメラ。
【請求項９】
請求項４に記載のデジタルカメラにおいて、任意のボタンをドラッグしてファインダ表示画面上でペンアップを行うと、ファインダ表示領域が上記ドラッグしたボタンとなることを特徴とする、
デジタルカメラ。
【請求項１０】
請求項９に記載のデジタルカメラにおいて、キャプチャボタンのみをファインダ表示画面上に移動されることを許可する手段を有することを特徴とする、
デジタルカメラ。
【請求項１１】
請求項９に記載のデジタルカメラにおいて、ファインダ表示画面が任意の機能を持つボタンになっている場合において、他の機能ボタンに該当する場所以外でのペン操作は、上記ファインダ表示画面と重なったボタンの機能を実行される手段を有することを特徴とする、
デジタルカメラ。
【請求項１２】
請求項９に記載のデジタルカメラにおいて、ボタンの移動または大きさの変更を防止する手段を有することを特徴とする、
デジタルカメラ。
【請求項１３】
請求項９に記載のデジタルカメラにおいて、操作ボタンの位置や大きさを工場出荷時の設定に戻す手段を有することを特徴とする、
デジタルカメラ。
【請求項１４】
請求項９に記載のデジタルカメラにおいて更にハードウェアキーを有するデジタルカメラおよびそのアプリケーションにおいて、工場出荷時の設定に戻すための操作が、特定のキー操作であることを特徴とする、
デジタルカメラ。
【請求項１５】
請求項１に記載のデジタルカメラにおいて、画面上に、キャプチャ予約ボタンを有し、キャプチャ予約ボタンを押すと、次に画面のどこを触っても、キャプチャされることを特徴とする、
デジタルカメラ。
【請求項１６】
請求項１５に記載のデジタルカメラにおいて、
上記キャプチャ予約ボタンを押すと、操作ボタンは全て画面から消す手段を有し、キャプチャ予約を解除するボタンを表示する手段を有することを特徴とし、
上記キャプチャ予約を解除するボタンをペンタップすると、キャプチャ予約が解除され、キャプチャ予約ボタン以外の画面上の領域をペンタップすると、キャプチャされる手段を有することを特徴とする、
デジタルカメラ。
【請求項１７】
請求項１６に記載のデジタルカメラにおいて、更にハードウェアキーを有するデジタルカメラおよびそのアプリケーションにおいて、キャプチャ予約の解除が、特定のキー操作であることを特徴とする、
デジタルカメラ。
【発明の詳細な説明】
【技術分野】
【０００１】
本発明は、ファインダ表示画面を有するデジタルカメラに関する。
【背景技術】
【０００２】
従来のデジタルカメラは、ファインダ表示する画面が小さいため、画面領域いっぱいにファインダ表示を行い、操作はハードウェアキーにより行うものが一般的である。
【０００３】
一方、携帯情報端末（以下ＰＤＡ）やノート型パーソナルコンピュータ（以下ノートＰＣ）の多機能化、画面の高精細化に伴い、ＰＤＡやノートＰＣにカメラモジュールを付加することで、カメラのファインダ画像をＰＤＡやノートＰＣに表示し、カメラモジュールのキャプチャボタンや、表示されたボタンを操作することにより、撮影を行っていた。
【特許文献１】特開２００２−２６８６６２号公報
【発明の開示】
【発明が解決しようとする課題】
【０００４】
しかしながら、ＰＤＡやノートＰＣにカメラモジュールを取り付けて撮影する場合、デジタルカメラ専用機に比べて、操作ボタンの位置が必ずしも適切な位置ではなく、また、画面上のボタンを操作するにしても、人それぞれ好みの位置や大きさがある。
【０００５】
また、デジタルカメラの多機能化も進み、いずれはＰＤＡとの統合が進むものと考えられる。
【０００６】
以上を踏まえ、本発明においては、画面を操作できるデジタルカメラにおいて、操作ボタンの調整を行うことで、操作性の向上を図ることを課題とする。
【課題を解決するための手段】
【０００７】
本発明のデジタルカメラおよびアプリケーションは、操作ボタンの一部または全てのボタンの大きさや位置を変更可能であることを特徴とする。
【発明の効果】
【０００８】
本発明によれば先ず、操作ボタンの一部または全てのボタンの大きさや位置を変更可能であることで、ユーザの好みに応じた操作ボタンの配置が可能となり、使い勝手の向上がなされる。
【０００９】
また、画面上に表示された任意のボタン上でペンダウンし、ドラッグし、ペンアップされた位置に上記ペンダウンされたボタンが移動する手段を有することで、見たままのボタン類の配置変更ができ、すばやく適切に配置を変更することができる。
【００１０】
また、ボタンのドラッグする量にスレッショルドを設けておき、ボタンからのペンの距離がスレッショルドを超えたときに、上記ペンダウンされたボタンを移動する手段を有することで、ボタン操作のキャンセルと、ボタンの配置変更の操作の違いを判定することができる。
【００１１】
また、表示されたボタンの角または辺上でペンダウンし、ドラッグすることにより、上記ペンダウンしたボタンのドラッグしたペンの位置に追従してボタンの大きさが変化する手段を有することで、ボタンの配置だけでなく、大きさの細かな設定を見たままに行うことができる。
【００１２】
また、操作ボタンが移動または大きさが変更されたことにより、変更されるボタンと既存のボタンとの重なりが生ずることを検出する手段を有し、既存のボタンとの重なりが生ずることを検出された場合に、移動または大きさが変更されたボタン以外を配置しなおす、またはボタンの大きさを変更する手段を有することにより、ボタンの配置変更時に生ずる他のボタンの消失を防ぐことができ、主となるボタンの配置を変更したことにより、他のボタンの再配置の手間を軽減させることができる。
【００１３】
また、位置や大きさを変更しようとするボタン以外のボタンの位置の変更が不可能であることを検出する手段を有し、上記変更しようとするボタン以外のボタンの変更が不可能である場合に、変更しようとするボタンの位置や大きさの変更を不可能とする手段を有することを特徴とすることで、無意味なボタンの配置変更を防止することができる。
【００１４】
また、任意のボタンをドラッグしてファインダ表示画面上でペンアップを行うと、ファインダ表示領域が上記ドラッグしたボタンとなることで、キャプチャボタンのような余分な表示領域が不要になり、また、キャプチャを行うための画面上の領域が広がる。
【００１５】
また、キャプチャボタンのみをファインダ表示画面上に移動されることを許可する手段を有することにより、キャプチャボタン以外のボタンが移動によりファインダ表示領域の陰に隠れてしまうことを防止することができる。
【００１６】
また、ファインダ表示画面が任意の機能を持つボタンになっている場合において、他の機能ボタンに該当する場所以外でのペン操作は、上記ファインダ表示画面と重なったボタンの機能を実行される手段を有することで、例えばファインダ表示画面にキャプチャ機能を割り当てていた場合、他の空白の領域をペンタップしたときに、キャプチャボタンをタップしたときと同様の振舞いを行うことができる。
【００１７】
また、ボタンの移動または大きさの変更を防止する手段を有することで、不用意なボタンの配置の変更を行わせないようにできる。
【００１８】
また、操作ボタンの位置や大きさを工場出荷時の設定に戻す手段を有することで、誤操作をしてしまったときに、元の状態に戻すことが可能となる。
【００１９】
また、工場出荷時の設定に戻すための操作が、特定のキー操作であることで、工場出荷時の状態に戻す操作不用意に行うことを防止できる。
【００２０】
更に、画面上に、キャプチャ予約ボタンを有し、キャプチャ予約ボタンを押すと、次に画面のどこを触っても、キャプチャされることで、シャッターチャンスを逃がさない操作を行うことができる。
【発明を実施するための最良の形態】
【００２１】
（第１の実施の形態）
以下、図１〜図８に基づき、本発明によるデジタルカメラおよびそのアプリケーションの実施の形態を説明する。
【００２２】
図１はデジタルカメラのハードウェアブロック図である。
【００２３】
本実施の形態のデジタルカメラは、ＰＤＡにカメラモジュールを付加したものとし、破線１００で囲まれたＰＤＡ部と破線１１０で囲まれたカメラモジュール部から成る。
【００２４】
まずＰＤＡ部１００は、動作全体の制御を行うＣＰＵ１０１、読み書き可能なメモリ（ＲＡＭ）１０２、読み込み専用メモリ（ＲＯＭ）１０３、キーボードやマウスのような入力装置（ＩｎｐｕｔＭｅｔｈｏｄ）１０４、表示装置（Ｄｉｓｐｌａｙ）１０５、クロックを供給するリアルタイムクロック（ＲＴＣ）１０６、オブジェクトを蓄積する外部メモリ（Ｅｘｔ．Ｍｅｍｏｒｙ）１０７、外部機器と接続するためのＩ／Ｏ１０８、それぞれの装置間の情報の伝送を行うバス１０９より成る。
【００２５】
表示装置には、操作を行うためのボタンを表示させ、画面上でのペンの振舞いを検出するために、デジタイザが組み込まれており、ＣＰＵにペンダウン，ペンムーブ，ペンアップが発生したことが通知される。
【００２６】
また、カメラモジュール部１０１は、動作全体の制御を行うＣＰＵ１１１、読み書き可能なメモリ（ＲＡＭ）１１２、読み込み専用メモリ（ＲＯＭ）１１３、キャプチャキーやズームキーのような入力装置（ＩｎｐｕｔＭｅｔｈｏｄ）１１４、レンズモジュール１１５、レンズを通った光を光電変換するためのＣＣＤ１１６、ＰＤＡとの接続インターフェースであるＩ／Ｏ１１７，それぞれの装置間の情報の伝送を行うバス１１９より成る。
【００２７】
ＰＤＡからのカメラモジュールの制御や、撮影したデータのやりとりは、Ｉ／Ｏ（１０８，１１７）を通じて行う。
【００２８】
本実施の形態デジタルカメラのアプリケーションのプログラムもＲＯＭ１０３に格納する。
【００２９】
図１のようにＰＤＡにカメラモジュールをとりつけた状態で、カメラアプリケーションを起動したときの画面構成を図２に示す。
【００３０】
表示画面いっぱいにカメラアプリケーション２００を表示している。
【００３１】
カメラアプリケーション２００上には、レンズ１５５を通ってＣＣＤにより光電変換されたファインダ画像２０１，キャプチャするためのキャプチャボタン２０２，ズームテレ２０３（ａ），ズームワイド２０３（ｂ），アプリケーションの終了ボタン２０４により構成される。
【００３２】
ズームテレ，ワイドボタン２０３（ａ），（ｂ）を押している間、ズームの動作が行われる。
【００３３】
また、キャプチャボタンを押すと、焦点を合わせはじめ、キャプチャボタンを離すと、実際にキャプチャを行い、指定先のメディアにキャプチャされた画像を格納する。
【００３４】
ここで、表示画面のキャプチャボタン上でペンダウンし、ドラッグする。ドラッグしたままキャプチャボタンの外側に出るときの座標（ｘｏ，ｙｏ）を記憶しておき、更にドラッグし、座標（ｘｏ，ｙｏ）からのマンハッタン距離がスレッショルド値（本実施例では例えば２５ドット）を超えたとき、図３に示すように、キャプチャボタン２０２をグレーアウトし、ラバーバンド２０２’を表示する。以後、ドラッグする間、ペンの動きに追従してラバーバンドが動く。
【００３５】
更にペンアップすると、最終的にラバーバンドが描かれていた位置に、キャプチャボタンが移動する。また、これにあわせてファインダやキャプチャボタンと重ならないように、ズームテレ，ワイドボタン２０３（ａ），（ｂ）も適切な位置に移動する（図４）。
【００３６】
同様に、図４の状態からキャプチャボタンの左下角でペンダウンし、ドラッグする。ペンダウンした位置（ｘｄ，ｙｄ）からドラッグした現在のペンの位置（ｘｃ，ｙｃ）のマンハッタン距離が本実施例のスレッショルド値２５ドットを超えると、キャプチャボタンをグレーアウトし、キャプチャボタンの左上と現在のペン位置を矩形の対角線となるようにラバーバンドを描く（図５）。更にドラッグすると、ラバーバンドも現在のペンの位置に追従するように描きなおす。ペンアップすると、ペンアップ前に描かれていたラバーバンドの大きさ，位置がキャプチャボタンとなるように、キャプチャボタンの大きさを変更する。また、これにあわせてファインダやキャプチャボタンと重ならないように、ズームテレ，ワイドボタン２０３（ａ），（ｂ）も適切な位置に移動，サイズ変更する（図６）。
【００３７】
上記動作を実現するための本実施の形態のデジタルカメラおよびアプリケーションの一部の構成を図７に、また、動作の流れを図８に示す。
【００３８】
まず、本実施の形態のデジタルカメラおよびアプリケーションが起動すると、ボタン配置手段７０１において、ボタン配置データベース７０５に登録されたボタンの位置情報をもとに、デジタルカメラアプリケーションを構成するＧＵＩの部品を配置する。本実施の形態では、上記ＧＵＩの部品とは、ファインダ画面、キャプチャボタン，ズームテレ，ズームワイドボタンのことである。
【００３９】
ここで、画面上に表示されたキャプチャボタン上でペンダウンすると、ステップ８０１において、スレッショルドをみるための座標（ｘｏ，ｙｏ）を初期化し、ボタン操作認識手段７０２において、ペンイベントを検出する（ステップｓ８０２）。ペンダウン時は、ステップｓ８０３，ｓ８０４の条件判断により、ペンアップでもペンムーブでもないため、ステップｓ８０２において次のペンイベントを待つ。
【００４０】
次にペンのドラッグをキャプチャボタンの範囲を出ない状態で行うと、ペンイベントをステップｓ８０２において検出する。ペンイベントはペンムーブであるため、ステップｓ８０４を通り、ステップｓ８０５に到達する。この時点ではボタンの移動でも大きさの変更（リサイズ）とも決定していないため、次のステップｓ８０６を実行する。
【００４１】
まだペン位置がボタンの内部にあるため、ステップｓ８０２に戻り、次のペンイベントを待つ。更にペンのドラッグを行い、キャプチャボタンの外までドラッグを行うと、ペンイベントをステップｓ８０２で検出し、前述した、キャプチャボタン内でのドラッグと同様にステップｓ８０６に到達する。次にステップｓ８０６において、ペンの位置がキャプチャボタンの外にあるため、ステップｓ８０７を実行する。この時点で、座標（ｘｏ，ｙｏ）がセットされていないため、ステップｓ８０８において、座標（ｘｏ，ｙｏ）に現在のペンの座標をセットする。次にｓ８０９で現在のペンの座標が座標（ｘｏ，ｙｏ）からのマンハッタン距離が本実施の形態のスレッショルド値である２５を超えるかどうか判定する。ステップｓ８０８で（ｘｏ，ｙｏ）を設定した時点では、マンハッタン距離は０であるので、ステップｓ８０２迄戻ってペンムーブを待つ。
【００４２】
更にペンムーブを検出し、ステップｓ８０７を評価し、この時点で、（ｘｏ，ｙｏ）がセットされているため、次にステップｓ８０９を評価する。現在の座標位置と座標（ｘｏ，ｙｏ）とのマンハッタン距離が２５以上離れていたら、ステップｓ８１０において、ボタンの移動または、リサイズと判定する。更に、ペンダウンした位置がキャプチャボタンの内部であれば、ボタンの移動、ペンダウンした位置が、キャプチャボタンの辺または角であれば、ボタンのリサイズと判定し、それに応じて、キャプチャボタンをグレーアウトし、現在のボタンの位置、大きさをユーザにみせるためにラバーバンドを表示する。以後、ペンアップを検出する前にペンムーブを検出するたびに、ラバーバンドを表示しなおす。
【００４３】
次にペンアップをステップｓ８０３において検出すると、ステップｓ８１１において、ボタン移動またはリサイズが行われている最中かを評価し、ボタン移動、またはリサイズであれば、ステップｓ８１２においてボタン位置を決定する。また、このとき、図７のボタン配置決定手段に８０４おいて他の部品であるファインダ画面やズームテレ，ワイドボタンと重なるかどうかを評価し、重なる場合、それぞれの部品を移動したり、リサイズして重ならないように自動整形し、決定した座標をボタン配置データベース８０５に登録する。
【００４４】
また、図８の流れにおいて、ボタンの移動，リサイズではない場合、通常のカメラの操作となる（７０３）。
【００４５】
ここで、ボタンの移動やリサイズを許可しないようにユーザに設定させる手段を設けても良い。
【００４６】
ＰＤＡにおいては、大抵、キーを持つが、例えばメニューキーを押しながらキャプチャボタンを押すような特殊な操作をさせることで、工場出荷時の画面構成に戻る手段を設けても良い。
【００４７】
または、画面の右下端のような比較的操作しにくい位置をペンタップすると、工場出荷時の画面構成に戻る手段を設けても良い。
【００４８】
以上により、カメラアプリケーションを立ち上げた状態で、カメラの操作を阻害することなく、撮影画面をユーザの好きなようにカスタマイズすることができる。
【００４９】
（第２の実施の形態）
以下、図９〜図１０に基づき、本発明によるデジタルカメラおよびそのアプリケーションの好適な第二実施の形態を説明する。
【００５０】
第１の実施の形態と同様の構成において、処理の流れを図９に示す。
【００５１】
キャプチャボタンに限り、ファインダ画面と重なることを可能とする。
【００５２】
処理の流れにおいてステップｓ９１２で、ペンアップされたときに、キャプチャボタンの移動であると評価された場合、ペンアップしたときの座標がファインダ表示画面の領域内であった場合、ファインダ領域をキャプチャボタンとする。
【００５３】
このときの画面は、図１０のように、キャプチャボタン単独で、画面上に存在しないが、ファインダ画像をペンでタップすると、キャプチャボタンと等しい振舞いをする。
【００５４】
すなわち、ファインダ画像上でペンダウンすると、焦点を合わせ始め、ペンアップすると、シャッターが切れて、キャプチャする。
【００５５】
このとき、キャプチャボタンに必要な表示領域が減るため、逆にファインダ画面の表示領域を大きくし、画面のレイアウトを変更しても良い。
【００５６】
これにより、ファインダ領域をキャプチャボタンとすることができ、キャプチャボタンのような小さなボタンを押すよりはるかに使い勝手の良い操作を実現することができる。
【００５７】
また、図１００５のように、ユーザがペンで押しづらい位置に狭い領域をもたせておき、ここをペンタップすると、移動したボタンが工場出荷時の位置に戻るように実装しても良い。
【００５８】
（第３の実施の形態）
以下、図１１に基づき、本発明によるデジタルカメラおよびそのアプリケーションの好適な第三実施の形態を説明する。
【００５９】
本実施の形態において、機器の構成、流れは第２の実施の形態と等しい。
【００６０】
処理の流れを図１１に示す。
【００６１】
ステップｓ１１０１において、ペンのイベントを検出すると、ステップｓ１１０２において、ボタンの移動またはリサイズかどうかを判定し、ボタンの移動またはリサイズの処理を行う場合は、ステップｓ１１０３において、該当する処理を行う。判定し、移動またはリサイズを行う方法は、第１の実施例で説明したとおり、図８の流れに従う。
【００６２】
ｓ１１０２で、ボタンの移動またはリサイズではない場合、ステップｓ１１０４において、ボタンに対するイベントであるかどうかを評価する。ボタンに対するイベントであれば、ステップｓ１１０５で該当するボタンの振舞いをそのまま行う。
【００６３】
ｓ１１０４で、ボタンに対するイベントではないと評価された場合は、キャプチャボタンの振舞いを実行する。
【００６４】
すなわち、ボタン以外の座標でペン操作を行うと、キャプチャー操作が行われる。
【００６５】
これにより、機能ボタン以外の領域をキャプチャボタンと同様に扱うことができ、キャプチャボタンのような小さなボタンを押すよりはるかに使い勝手の良い操作を実現することができる。
【００６６】
（第４の実施の形態）
以下、図１２に基づき、本発明によるデジタルカメラおよびそのアプリケーションの好適な第四実施の形態を説明する。
【００６７】
本実施の形態においては、デジタルカメラおよびそのアプリケーションの初期画面として、図２の状態に加え、キャプチャ予約ボタン１２０５を持つ。
【００６８】
キャプチャ予約ボタン１２０５を押すと、図１３のように、キャプチャ予約ボタン１２０５が予約キャンセルボタン１３０５に変化し、他の操作ボタンは消える。
【００６９】
この状態で、予約キャンセルボタン以外の領域をペン操作すると、キャプチャボタンを操作したのと同様に振舞う。逆に、予約キャンセルボタンを押すと、図１２のように初期状態に戻る。
【００７０】
これにより、機能ボタン以外の領域をキャプチャボタンと同様に扱うことができ、キャプチャボタンのような小さなボタンを押すよりはるかに使い勝手の良い操作を実現することができる。
【００７１】
また、キャプチャ予約のキャンセルを実現でき、使い勝手の良いユーザインターフェースを提供することができる。
【図面の簡単な説明】
【００７２】
【図１】本発明の実施の形態における機器構成。
【図２】本発明の第１実施の形態における初期画面。
【図３】本発明の第１実施の形態におけるボタンの移動中の例。
【図４】本発明の第１実施の形態におけるボタンの移動後の例。
【図５】本発明の第１実施の形態におけるボタンの大きさ変更中の例。
【図６】本発明の第１実施の形態におけるボタンの大きさ変更後の例。
【図７】本発明の第１実施の形態における動作の構成。
【図８】本発明の第１実施の形態における動作の流れ。
【図９】本発明の第２実施の形態における動作の流れ。
【図１０】本発明の第２実施の形態におけるキャプチャボタンをファインダ画面に持たせた例。
【図１１】本発明の第３実施の形態における動作の流れ。
【図１２】本発明の第４実施の形態における初期画面。
【図１３】本発明の第４実施の形態におけるキャプチャ予約中の画面。
【図１】
2006140700.tif 000003
【図２】
2006140700.tif 000004
【図３】
2006140700.tif 000005
【図４】
2006140700.tif 000006
【図５】
2006140700.tif 000007
【図６】
2006140700.tif 000008
【図７】
2006140700.tif 000009
【図８】
2006140700.tif 000010
【図９】
2006140700.tif 000011
【図１０】
2006140700.tif 000012
【図１１】
2006140700.tif 000013
【図１２】
2006140700.tif 000014
【図１３】
2006140700.tif 000015